(57)【要約】      （修正有）【課題】  光学素子の逆付けを確実に防止することができ、また複数の光学素子を積層させた場合でも各光学素子の共通化が可能な光走査装置の組立方法を提供する。【解決手段】レーザ光源、偏向手段、及び光学素子５を収容した筐体とを備えた光走査装置を組み立てるための光走査装置の組立方法であって、光学素子５の両端のつば部１３，１４に段部１１，１２を設けるとともに、つば部のうち一側のつば部１４に段部１２よりも外側部分に突起１５を設ける一方、ブロック状をなした２つの位置決め治具８，９を用意し、そのうちの１つの位置決め治具９の側面に、突起１５が係合する係合溝９Ａを形成しておき、光学素子５を筐体に組み付ける際、係合溝９Ａに突起１５を係合させながら、位置決め治具９の角部を段部１２に突き当てて光学素子５の位置決めを行う。【選択図】        図５
2006178253.tif 000002
【特許請求の範囲】
【請求項１】
レーザ光源と、該レーザ光源から出射されたレーザ光を反射し偏向させる偏向手段と、前記偏向されたレーザ光を感光体上に結像する光学素子と、前記レーザ光源、偏向手段、及び光学素子を収容した筐体とを備えた光走査装置を組み立てるための光走査装置の組立方法であって、
前記光学素子の逆付け防止と該光学素子の位置決めとを同時に行う位置決め治具を用いて、前記光学素子を前記筐体に組み付けることを特徴とする光走査装置の組立方法。
【請求項２】
レーザ光源と、該レーザ光源から出射されたレーザ光を反射し偏向させる偏向手段と、前記偏向されたレーザ光を感光体上に結像する光学素子と、前記レーザ光源、偏向手段、及び光学素子を収容した筐体とを備えた光走査装置を組み立てるための光走査装置の組立方法であって、
前記光学素子の両端のつば部に段部を設けるとともに、前記つば部のうち一側のつば部に前記段部よりも外側部分に突起を設ける一方、
ブロック状をなした２つの位置決め治具を用意し、そのうちの１つの位置決め治具の側面に、前記突起が係合する係合溝又は係合穴を形成しておき、
前記光学素子を前記筐体に組み付ける際、前記２つの位置決め治具を前記筐体上の所定位置に載置して、前記係合溝又は係合穴に前記突起を係合させながら、前記位置決め治具の角部を前記段部に突き当てることにより、当該光学素子の逆付け防止と位置決めとを行うことを特徴とする光走査装置の組立方法。
【請求項３】
前記突起は、前記光学素子の光学有効面以外の箇所に該光学素子の光軸方向に突出して形成されていることを特徴とする請求項２に記載の光走査装置の組立方法。
【請求項４】
前記突起は前記光学素子に一体的に樹脂成形され、かつ成形時に金型から前記光学素子を離型する方向に対して抜き勾配を有していることを特徴とする請求項２又は３に記載の光走査装置の組立方法。
【請求項５】
前記突起は先端が曲面形状を有することを特徴とする請求項２，３又は４に記載の光走査装置の組立方法。
【請求項６】
前記突起の高さは、前記段部の上部面の高さと同じ、もしくは該上部面の高さよりも高く設定されていることを特徴とする請求項２〜５のいずれか一項に記載の光走査装置の組立方法。
【請求項７】
前記光学素子の少なくとも一つの光学面は、光軸に対して左右非対称形状であることを特徴とする請求項２に記載の光走査装置の組立方法。
【請求項８】
前記光学素子の少なくとも一つの光学面は、走査方向の設計形状が光軸に対して左右非対称形状に設計されていることを特徴とする請求項２に記載の光走査装置の組立方法。
【請求項９】
前記光学素子を複数積層させる際、前記２つの位置決め治具を、前記光学素子の各々を位置決めする高さに設定し、かつ前記光学素子の各々に前記突起を設け、該突起を用いて前記光学素子の逆付けを防止することを特徴とする請求項２に記載の光走査装置の組立方法。
【請求項１０】
前記光学素子の各々が略同一の形状であることを特徴とする請求項９に記載の光走査装置の組立方法。
【請求項１１】
前記光学素子の各々は光硬化型接着剤により互いに接着固定されることを特徴とする請求項９又は１０に記載の光走査装置の組立方法。
【請求項１２】
前記光学素子の各々は略同一の線膨脹率を有する樹脂材料からなることを特徴とする請求項９，１０又は１１に記載の光走査装置の組立方法。
【請求項１３】
前記突起は、樹脂成形時にエジェクタピンにて形成されることを特徴とする請求項２又は９に記載の光走査装置の組立方法。
【発明の詳細な説明】
【技術分野】
【０００１】
本発明は、デジタル複写機、レーザプリンタ、ファクシミリなどの画像形成装置に搭載され、レーザ光を感光体上に集光させて光走査を行う光走査装置の組立方法に関する。
【背景技術】
【０００２】
レーザ方式のデジタル複写機、ファクシミリ、並びにレーザ方式のプリンタ等に搭載された光学走査系では、複数のレーザ光源から出射された各ビームを、偏向手段及び光学素子などの結像手段を介してそれぞれ感光体ドラムに導き、該感光体ドラム上にて画像情報に応じて画像形成する。このような光学走査系は多色画像形成装置にも搭載されている。
【０００３】
近年、多色画像形成装置の高速化、高画質化に対応するために、４つの感光体ドラムを出力紙の搬送方向に配列し、各感光体ドラムに対応したビームで同時露光し、各々異なる色（イエロー、マゼンタ、シアン、ブラック）の現像器で現像した画像を順次、転写し、重ね合わせてカラー画像を形成する方式が実用化されている。
【０００４】
上記光走査装置は、４つのレーザ光源を備え、各レーザ光源から出射されレーザ光を回転多面鏡で偏向し、光学素子により感光体上で結像するように構成されている。また光走査装置の結像手段である光学素子は、光走査装置を省スペース化するために、複数枚を積層して使用されるのが一般的である。
【０００５】
ところで、光学素子の光学面は、光学素子の枚数を低減し光走査装置を低コスト化するために光軸に対して左右非対称形状に設計されることが多い。光学面の左右非対称形状は見た目に判別することが困難であり、光学素子を光走査装置の筐体上に組み付ける際に、本来の組み付け方向とは上下逆に組み付けてしまう、いわゆる逆付けが発生し、問題となっている。
【０００６】
このような光学素子の逆付けを防止する方法として、光学面の有効範囲内に突起を設けるとともに、筐体上には干渉ピンを設け、光学素子が上下逆の場合は前記突起が前記干渉ピンに干渉して、光学素子の組み付けができず、これによって、光学素子の逆付けを防止する方法が提案されている（例えば、特許文献１参照）。
【０００７】
また、光学素子のゲートと筐体上の干渉ピンが干渉することで、光学素子の逆付けを防止する方法も提案されている（例えば、特許文献２参照）。
【特許文献１】特開平９−９０２５５号公報
【特許文献２】特開平１０−４８５５７号公報
【発明の開示】
【発明が解決しようとする課題】
【０００８】
しかしながら、特許文献１では、複数の光学素子を積層して２層目以降も１層目と同じ逆付け防止手段を用いる場合、干渉ピンの突出を長くする必要があるが、干渉ピンの突出を長くすると、光学素子の突起は光学有効範囲内に形成されているため、１層目の光学面内を干渉ピンが遮ってしまう。つまり、特許文献１では、２層目以降の逆付け防止には別途逆付け防止手段を光学素子に設ける必要があり、そのため、光学素子の形状が１層目と２層目以降で共通化できず、生産効率が悪くなるという問題が生じる。また、低コスト化を目的として光学素子を薄肉化する場合、有効範囲内に突起を設けることで、突起近傍の光学面では局所的に内部歪みが生じ、形状精度が低下する恐れもある。
【０００９】
また、近年、低コスト化のために光学素子を一度に多数成形する、いわゆる多数個取りの成形法が必須であるが、このような成形法の場合、金型の中心部に熱がこもりやすく、光学素子にそりが発生する。色ずれを抑えた高精度な画像形成装置を実現するには、そりによる光学素子の位置決め誤差を低減する必要があり、そのためには光学素子の反りの方向を統一して筐体上に位置決めしなければならない。
【００１０】
特許文献２においては、光学素子を多数個取りで成形し、光学素子の反りの方向を統一するように光学素子の基準面を規定し、基準面を筐体上に設置する場合、光学素子のゲートの位置が回転多面鏡に対して左右２種類の方向に設置される。そのため、特許文献２では、積層して光学素子を使用する場合、１層目のゲートが２層目以降の逆付け防止用の干渉ピンと干渉してしまい、２層目の逆付け防止手段を配置することができず、２層目以降に逆付け防止手段を用いることができないという問題がある。また、２層目以降の逆付けを防止するには、２層目以降の光学素子に新たな干渉手段を形成する必要があり、特許文献１と同様、光学素子の形状が１層目と２層目以降で共通化できず、生産効率が悪くなる恐れがある。
【００１１】
さらに、特許文献２においては、筐体上の位置決めピンに光学素子を突き当てて固定するようにしているが、このような固定方法の場合、回転多面鏡やレーザ露光等で熱を持ったとき、筐体と光学素子の熱膨張率の差により、光学素子が位置ずれを起こすという問題もある。
【００１２】
本発明の課題は、光学素子の逆付けを確実に防止することができ、また複数の光学素子を積層させた場合でも各光学素子の共通化が可能な光走査装置の組立方法を提供することにある。
【課題を解決するための手段】
【００１３】
上記課題を解決するために、請求項１に記載の発明は、レーザ光源と、該レーザ光源から出射されたレーザ光を反射し偏向させる偏向手段と、前記偏向されたレーザ光を感光体上に結像する光学素子と、前記レーザ光源、偏向手段、及び光学素子を収容した筐体とを備えた光走査装置を組み立てるための光走査装置の組立方法であって、前記光学素子の逆付け防止と該光学素子の位置決めとを同時に行う位置決め治具を用いて、前記光学素子を前記筐体に組み付けることを特徴としている。
【００１４】
上記構成によれば、位置決め治具を用いることにより、光学素子の逆付け防止と位置決めを同時に行うことができ、さらには複数の光学素子を積層させた場合でも各光学素子の共通化が可能となる。
【００１５】
請求項２に記載の発明は、レーザ光源と、該レーザ光源から出射されたレーザ光を反射し偏向させる偏向手段と、前記偏向されたレーザ光を感光体上に結像する光学素子と、前記レーザ光源、偏向手段、及び光学素子を収容した筐体とを備えた光走査装置を組み立てるための光走査装置の組立方法であって、前記光学素子の両端のつば部に段部を設けるとともに、前記つば部のうち一側のつば部に前記段部よりも外側部分に突起を設ける一方、ブロック状をなした２つの位置決め治具を用意し、そのうちの１つの位置決め治具の側面に、前記突起が係合する係合溝又は係合穴を形成しておき、前記光学素子を前記筐体に組み付ける際、前記２つの位置決め治具を前記筐体上の所定位置に載置して、前記係合溝又は係合穴に前記突起を係合させながら、前記位置決め治具の角部を前記段部に突き当てることにより、当該光学素子の逆付け防止と位置決めとを行うことを特徴としている。
【００１６】
上記構成によれば、光学素子を筐体に組み付ける際に、位置決め治具の係合溝又は係合穴に光学素子の突起を係合させながら、位置決め治具の角部を段部に突き当てる。これにより、光学素子の逆付けの防止と位置決めとを同時に行うことができ、さらには複数の光学素子を積層させた場合でも各光学素子の共通化が可能となり、生産性の高い光走査装置の組立方法を実現できる。また、つば部に突起を設けることで、光学素子を筐体に組み付ける際の光学面への影響を最小限に抑えることができる。
【００１７】
請求項３に記載の発明は、請求項２において、前記突起は、前記光学素子の光学有効面以外の箇所に該光学素子の光軸方向に突出して形成されていることを特徴としている。
【００１８】
上記構成によれば、光学素子の突起が光学有効面以外に形成されていることで、光学素子の光学的機能を突起が邪魔することがない。また、突起は光軸方向に突出していることで、光学素子を走査方向と光軸方向に相直交する方向に積層する際、突起が影響することがないために高精度な組立方法を実現できる。
【００１９】
請求項４に記載の発明は、請求項２又は３において、前記突起は前記光学素子に一体的に樹脂成形され、かつ成形時に金型から前記光学素子を離型する方向に対して抜き勾配を有していることを特徴としている。
【００２０】
上記構成によれば、突起が、成形時に金型から光学素子を離型する方向に対して抜き勾配を有しているので、離型抵抗の変化を低減することができる。
【００２１】
請求項５に記載の発明は、請求項２，３又は４において、前記突起は先端が曲面形状を有することを特徴としている。
【００２２】
上記構成によれば、突起先端が曲面形状を有しているので、離型抵抗の変化を低減することができる。
【００２３】
請求項６に記載の発明は、請求項２〜５のいずれか一項において、前記突起の高さは、前記段部の上部面の高さと同じ、もしくは該上部面の高さよりも高く設定されていることを特徴としている。
【００２４】
上記構成によれば、突起の高さが段部の上部面の高さと同じ、もしくは該上部面の高さよりも高く設定されているので、逆付けの場合には、走査方向に位置決めできず、作業者は、逆付けであると容易に気付くことができる。
【００２５】
請求項７に記載の発明は、請求項２において、前記光学素子の少なくとも一つの光学面は、光軸に対して左右非対称形状であることを特徴としている。
【００２６】
上記構成によれば、光学素子の精度を極端に上げることなく、色ずれを効果的に抑えることができる。
【００２７】
請求項８に記載の発明は、請求項２において、前記光学素子の少なくとも一つの光学面は、走査方向の設計形状が光軸に対して左右非対称形状に設計されていることを特徴としている。
【００２８】
上記構成によれば、光学面形状を外形の制約無く設計できるので、高精度な光学素子を実現できる。
【００２９】
請求項９に記載の発明は、請求項２において、前記光学素子を複数積層させる際、前記２つの位置決め治具を、前記光学素子の各々を位置決めする高さに設定し、かつ前記光学素子の各々に前記突起を設け、該突起を用いて前記光学素子の逆付けを防止することを特徴としている。
【００３０】
上記構成によれば、例えば２層目の光学素子が上下逆であると、該光学素子に設けた突起が位置決め治具と干渉し、２層目の光学素子を組み付けることができない。つまり、１層目の光学素子が有する非対称形状の方向と同一方向にしか、２層目の光学素子を組み付けることはできない。その結果、高精度な光走査装置の組立方法を実現できる。
【００３１】
請求項１０に記載の発明は、請求項９において、前記光学素子の各々が略同一の形状であることを特徴としている。
【００３２】
上記構成によれば、複数の光学素子が略同一の形状であると、一つの金型で光学素子を複数個同時に生産することが可能となり、高い生産性を実現できる。
【００３３】
請求項１１に記載の発明は、請求項９又は１０において、前記光学素子の各々は光硬化型接着剤により互いに接着固定されることを特徴としている。
【００３４】
上記構成によれば、各光学素子を光硬化型接着剤により互いに接着固定することにより、容易な接着工程を実現でき、生産タクトを大幅に短縮することができる。
【００３５】
請求項１２に記載の発明は、請求項９，１０又は１１において、前記光学素子の各々は略同一の線膨脹率を有する樹脂材料からなることを特徴としている。
【００３６】
上記構成によれば、各光学素子が略同一の線膨脹率を有する樹脂材料からなることで、周囲の雰囲気温度などによる光学素子間の熱膨張差が光学特性へ及ぼす影響を最小限に抑えることができる。その結果、光学素子の精度を極端に上げることなく、高精度な光走査装置を得ることができる。
【００３７】
請求項１３に記載の発明は、請求項２又は９において、前記突起は、樹脂成形時にエジェクタピンにて形成されることを特徴としている。
【００３８】
上記構成によれば、突起がエジェクタピンにて形成されることで、突出に要する領域内に突起を容易に形成することができるので、光学素子の形状を極端に大きくする必要がなく、安価な光学素子を提供できる。また、光学素子の成形時に金型にとられることが無いため、高い生産性を得ることもできる。
【発明の効果】
【００３９】
本発明によれば、光学素子を筐体に組み付ける際に、光学素子の逆付けを確実に防止することができ、また、複数の光学素子を積層させる場合でも各光学素子の共通化が容易となる。
【発明を実施するための最良の形態】
【００４０】
以下、本発明の実施例を図面に従って説明する。
【実施例１】
【００４１】
図１及び図２は光走査装置を示しており、図１はその概略平面図、図２は図１をＡ方向から見たときの概略側面図である。図に示すように、樹脂からなる筐体１には、レーザ光源２、シリンドリカルレンズ３、偏向器であるポリゴンスキャナユニット４、及び光学素子（結像レンズ）５が載置されている。ポリゴンスキャナユニット４には回転多面鏡４Ａが取り付けられ、この回転多面鏡４Ａは等角速度で回転している。
【００４２】
レーザ光源２から出射されたレーザ光は、シリンドリカルレンズ３で回転多面鏡４Ａ上に集光され、回転多面鏡４Ａによって等角速度で偏向される。そして、この偏向されたレーザ光は、光学素子５を透過した後、折返しミラー６で反射され、筐体１外部の感光体７上に結像される。このとき、レーザ光は感光体７上に等速度に走査される。なお、レーザ光源２に備えられた半導体レーザの数は一つに限らず、二つ以上設けることができる。
【００４３】
図３及び図４は多色画像形成を目的とした光走査装置を示しており、図３はその概略平面図、図４は図３をＢ方向から見たときの概略側面図である。図に示すように、筐体１には、４つのレーザ光源２、４つのシリンドリカルレンズ３、回転多面鏡４Ａが取り付けられたポリゴンスキャナユニット４、及びポリゴンスキャナユニット４を挟んで左右に２つ設けられた光学素子５が載置されている。
【００４４】
各レーザ光源２から出射されたレーザ光は、シリンドリカルレンズ３でそれぞれ回転多面鏡４Ａ上に集光され、回転多面鏡４Ａによって等角速度で偏向される。そして、図において左側２つのレーザ光源２から出射されたレーザ光は、左側の光学素子５を透過した後、折返しミラー６で反射され、筐体１外部の感光体７上に結像される。また、右側２つのレーザ光源２から出射されたレーザ光は、右側の光学素子５を透過した後、折返しミラー６で反射され、筐体１外部の感光体７上に結像される。このとき、レーザ光は感光体７上に等速度に走査される。なお、この場合も、各レーザ光源２にそれぞれ備えられた半導体レーザの数は一つに限らず、二つ以上設けることができる。
【００４５】
本実施例では、筐体１に光学素子５を固定する際、図５及び図６に示すように、光学素子５がある所望の方向にしか組付かないように位置決め治具８，９が用いられる。
【００４６】
位置決め治具８はブロック状（直方体又は正六面体）をなしている。一方、位置決め治具９もブロック状（直方体又は正六面体）をなしているが、その側面の一つには係合溝９Ａが上下方向に形成されている。なお、位置決め治具９には係合溝９Ａに代わりに係合穴を形成してもよい。
【００４７】
光学素子５は、少なくとも一つの光学面が光軸に対して左右非対称形状に形成されている。また、光学素子５は、少なくとも一つの光学面が走査方向の設計形状が光軸に対して左右非対称形状に設計されていてもよい。
【００４８】
光学素子５は、図７に示すように、光軸方向に沿って入射面側（図の底面側）は平坦状であるが、出射面側（図の上面側）の中央部分は凸状に湾曲しており、この湾曲した部分に光学有効面１０が形成されている。また、光学有効面１０以外の部分、つまり走査方向に沿って光学素子５の両端部には段部１１，１２がそれぞれ形成され、さらに段部１１，１２の先端側にはつば部１３，１４がそれぞれ設けられている。
【００４９】
そして、つば部１４には光軸方向に沿って突出した突起１５が設けられている。突起１５は円柱状をなしており、位置決め治具９の係合溝９Ａ内に係合可能なサイズに設定されている。
【００５０】
また、突起１５の形状としては、図８に示すような形状でもよい。すなわち、図８において、（ａ）〜（ｆ）はＣ部の拡大図であり、（ａ）は突起１５が円錐状の場合を、（ｂ）は突起１５が円錐台状の場合を、（ｃ）は突起１５が半球状の場合を、（ｄ）は突起１５の先端が曲面形状の場合を、（ｅ）も突起１５の先端が曲面形状の場合を、（ｆ）は半球状の突起１５がつば部１４の裏面に設けられている場合をそれぞれ示している。なお、突起１５は角錐状や角錘台状でもよい。また、突起１５がつば部１４の両面（図の上面と下面）に設けられていてもよい。
【００５１】
通常、突起１５は光学素子５に一体的に樹脂成形されるので、突起１５が図８（ａ）及び（ｂ）のように、垂直方向に対して抜き勾配を有していたり、また、図８（ｄ）及び（ｅ）のように突起１５先端が曲面形状を有していれば、成形時に突起１５を金型から容易に離型することができる。突起１５の大きさや高さについては、位置決め治具９との関係から決まり、光学素子５がある所定の方向にしか組み付けられないような形状に設定されている。
【００５２】
ここで、突起１５の高さについての一例を示す。本実施例では、図９に示すように、突起１５の高さａは、段部１２の上部面１２Ａの高さｂよりも高く設定されている。なお、突起１５の高さａを段部１２の上部面１２Ａの高さｂと同等にしてもよい。
【００５３】
次に、位置決め治具８，９を用いて光学素子５を筐体１上に組み付ける際の手順について説明する。
【００５４】
まず、位置決め治具８，９を所定の位置にセットする。このとき、図５に示すように、レーザ光の進行方向（図においてはレーザ光は下側から上側に進む）に沿って、左側に位置決め治具８を、右側に位置決め治具９をそれぞれ配置する。右側の位置決め治具９は、係合溝９Ａがポリゴンスキャナユニット４側（図においてはポリゴンスキャナユニット４は下側に配置されている）に対向し、また筐体１に対して垂直となるようにセットする。
【００５５】
そして、突起１５を係合溝９Ａに係合させながら光学素子５を筐体１上に組み付ける。このとき、光学素子５の上下が逆であると、図５においては突起１５が左側にあるため、この突起１５が位置決め治具８に干渉する。その結果、組立作業者は光学素子５の上下が逆であると容易に気付き、光学素子５を正常な姿勢に直してから筐体１上に組み付けることができる。
【００５６】
光学素子５の突起１５を位置決め治具９の係合溝９Ａに係合させる際に、突起１５の位置が係合溝９Ａに合っていないときは、突起１５の先端が位置決め治具９の側面に当たるが、光学素子５を左右に少しずらせることにより、突起１５は係合溝９Ａに容易に係合する。本実施例では、図９に示したように、突起１５の高さａが段部１２の上部面１２Ａの高さｂよりも高く設定されているので、突起１５の先端が位置決め治具９の側面に当たった状態で光学素子５を左右にずらせても、光学素子５の段部１２が位置決め治具９の角部９Ｂに突き当たることはなく、突起１５を係合溝９Ａに係合させるのに手間取るのを回避することができる。
【００５７】
また、本実施例では、位置決め治具９の角部９Ｂを光学素子５の段部１２に突き当てることにより、光学素子５の走査方向の位置決めを行うことができる。
【００５８】
光学素子５の走査方向の位置決めが終了したら、光学素子５をその位置決めされた箇所に接着剤等を用いて固定し、その後、位置決め治具８，９を取り外す。
【００５９】
本実施例によれば、光学素子５の上下が逆であると、突起１５が位置決め治具８に干渉し、光学素子５を筐体１上に組み付けることができないため、光学素子５の逆付けを未然に防ぐことができる。また、光学素子５の段部１２を位置決め治具９の角部９Ｂに突き当てることにより、光学素子５の走査方向の位置決めも容易に行うことができる。つまり、本実施例においては、光学素子５の逆付け防止と光学素子５の位置決めとを同時に行うことが可能となる。
【実施例２】
【００６０】
図１０及び図１１は実施例２を示している。本実施例では、１層目の光学素子５Ａの上に２層目の光学素子５Ｂが積層され、位置決め治具８，９は積層された光学素子５Ａ，５Ｂの各々を位置決めできる高さに設定されている。位置決め治具９には筐体１に対して垂直方向に係合溝９Ａが形成され、また、光学素子５Ａ，５Ｂの各々には係合溝９Ａに係合可能な突起１５が設けられている。
【００６１】
光学素子５Ａ，５Ｂは略同一形状をなし、光硬化型接着剤により互いに接着固定されている。光学素子５Ａ，５Ｂの形状が各々異なっていると、互いに接着固定したときに、周囲の雰囲気温度などによる熱膨張の違いによって光学特性への影響が大きくなるが、本実施例では、光学素子５Ａ，５Ｂが略同一形状であるから、周囲の雰囲気温度が変動しても光学特性への影響を小さく抑えることができる。
【００６２】
また、光硬化型接着剤を用いる場合、接合時に光学素子５同士の接合面に予め接着剤を塗布し、光を照射させて固定する。接合面は場所には依らず、接合は、層状に重ね合わせた状態でも、光学素子１つずつの接合でも、どちらでも可能である。
【００６３】
また、光学素子５Ａ，５Ｂは略同一の線膨張率を有する樹脂材料で形成されている。光学素子５Ａ，５Ｂが略同一の線膨張率であれば、周囲の雰囲気温度が変動したときの熱膨張による光学特性への影響を最小限に抑えることができる。
【００６４】
なお、光学素子５Ｂと同じものを複数用意し、さらに位置決め治具８，９の高さをより高くすれば、光学素子を３層以上に積層することも可能である。
【００６５】
実施例１及び実施例２において、光学素子の突起１５や光学素子５Ａ，５Ｂの突起１５は、樹脂成形時にエジェクタピンにて形成される。
【図面の簡単な説明】
【００６６】
【図１】光走査装置の概略平面図である。
【図２】図１をＡ方向から見たときの概略側面図である。
【図３】多色画像形成用の光走査装置の概略平面図である。
【図４】図３をＢ方向から見たときの概略側面図である。
【図５】実施例１を示しており、位置決め治具を用いて組み付けられる光学素子の平面図である。
【図６】筐体上に組み付けられた光学素子の側面図である。
【図７】光学素子の斜視図である。
【図８】（ａ）〜（ｆ）は突起の形状として色々な形状が考えられることを示した図である。
【図９】突起の高さと段部の高さとの関係を説明した図である。
【図１０】実施例２を示しており、位置決め治具を用いて組み付けられる光学素子の平面図である。
【図１１】筐体上に組み付けられた光学素子の側面図である。
【符号の説明】
【００６７】
１  筐体
２  レーザ光源
３  シリンドリカルレンズ
４  ポリゴンスキャナユニット
４Ａ  回転多面鏡
５，５Ａ，５Ｂ  光学素子
６  折返しミラー
７  感光体
８，９  位置決め治具
９Ａ  係合溝
９Ｂ  角部
１１，１２  段部
１３，１４  つば部
１５  突起
【図１】
2006178253.tif 000003
【図２】
2006178253.tif 000004
【図３】
2006178253.tif 000005
【図４】
2006178253.tif 000006
【図５】
2006178253.tif 000007
【図６】
2006178253.tif 000008
【図７】
2006178253.tif 000009
【図８】
2006178253.tif 000010
【図９】
2006178253.tif 000011
【図１０】
2006178253.tif 000012
【図１１】
2006178253.tif 000013